(57)【特許請求の範囲】
【請求項１】
液透過性のトップシートと液不透過性のバックシートの間に吸収体を設け、
前記吸収体の前後方向の両側に、エンドフラップ部を形成し、
背側の前記エンドフラップ部を形成するトップシートとバックシートの間に、幅方向に伸縮する矩形状の伸縮シートを設け、
前記伸縮シートを、前記トップシートに対向する内側シートと、前記バックシートに対向する外側シートと、前記内側シートと外側シートの間に前後方向に所定の間隔を隔てて幅方向に沿って伸縮する伸縮部材で形成し、
前記伸縮部材を、前記内側シートの反身体側面と外側シートの身体側面に幅方向に所定の間隔を隔てて形成した接着部を介して固定し、
前記トップシートの身体側面に幅方向に所定の間隔を隔てて、腹側の前記エンドフラップ部から背側の前記エンドフラップ部に向かって前後方向に延在するローション部を形成し、
平面視において、前記ローション部における背側のエンドフラップ部に延在する部位を、前記接着部の幅方向の一側側部と、前記接着部に隣接する接着部の幅方向の他側側部に重ねて設けたことを特徴とする使い捨ておむつ。
【請求項２】
前記ローション部に塗布されたローション剤の塗布目付量を２〜２０ｇ／ｍｍ2に形成した請求項１記載の使い捨ておむつ。
【請求項３】
前記ローション部における背側のエンドフラップ部に延在する部位のローション剤の塗布目付量を、前記ローション部における吸収体に延在する部位のローション剤の塗布目付量よりも大きく形成した請求項１又は２記載の使い捨ておむつ。
【請求項４】
平面視において、前記ローション部における背側のエンドフラップ部に延在する部位のローション部の幅方向の長さを、前記ローション部における吸収体に延在する部位のローション部の幅方向の長さよりも長く形成した請求項１〜３のいずれか１項に記載の使い捨ておむつ。
【請求項５】
前記ローション剤を水溶性のグリセリンで形成した請求項２又は３記載の使い捨ておむつ。
【発明の詳細な説明】
【技術分野】
【０００１】
本発明は、使い捨ておむつに関するものであり、特に、装着者の肌を保湿して、装着者へのフィット性を向上させた使い捨ておむつに関するものである。
【背景技術】
【０００２】
使い捨ておむつに排泄された便が装着者の肌に付着するのを抑制するために、トップシートの背側部位の身体側面にローション剤を塗布する技術が知られている。（特許文献１）
【先行技術文献】
【特許文献】
【０００３】
【特許文献１】特開２０１０−７５７３３号公報
【発明の概要】
【発明が解決しようとする課題】
【０００４】
しかし、特許文献１の技術では、装着者の股間部や、腹側部の肌を十分に保湿することができず、また、使い捨ておむつの背側端部から排泄物が外部に漏れ出す恐れがあった。
【０００５】
そこで、本発明の課題は、装着者の背側部、股間部、及び腹側部の肌を保湿して、装着者の背側部に背側のエンドフラップを密着させてフィット感を向上させることができる使い捨ておむつを提供することにある。
【課題を解決するための手段】
【０００６】
上記課題を解決した本発明は次記のとおりである。
第１手段は、液透過性のトップシートと液不透過性のバックシートの間に吸収体を設け、前記吸収体の前後方向の両側に、エンドフラップ部を形成し、背側の前記エンドフラップ部を形成するトップシートとバックシートの間に、幅方向に伸縮する矩形状の伸縮シートを設け、前記伸縮シートを、前記トップシートに対向する内側シートと、前記バックシートに対向する外側シートと、前記内側シートと外側シートの間に前後方向に所定の間隔を隔てて幅方向に沿って伸縮する伸縮部材で形成し、前記伸縮部材を、前記内側シートの反身体側面と外側シートの身体側面に幅方向に所定の間隔を隔てて形成した接着部を介して固定し、前記トップシートの身体側面に幅方向に所定の間隔を隔てて、腹側の前記エンドフラップ部から背側の前記エンドフラップ部に向かって前後方向に延在するローション部を形成し、平面視において、前記ローション部における背側のエンドフラップ部に延在する部位を、前記接着部の幅方向の一側側部と、前記接着部に隣接する接着部の幅方向の他側側部に重ねて設けたことを特徴とする。
【０００７】
第２手段は、第１手段の構成において、前記ローション部に塗布されたローション剤の塗布目付量を２〜２０ｇ／ｍｍ2に形成したことを特徴とする。
【０００８】
第３手段は、第１又は２手段の構成において、前記ローション部における背側のエンドフラップ部に延在する部位のローション剤の塗布目付量を、前記ローション部における吸収体に延在する部位のローション剤の塗布目付量よりも大きく形成したことを特徴とする。
【０００９】
第４手段は、第１〜３のいずれか１項の手段の構成において、平面視において、前記ローション部における背側のエンドフラップ部に延在する部位のローション部の幅方向の長さを、前記ローション部における吸収体に延在する部位のローション部の幅方向の長さよりも長く形成したことを特徴とする。
【００１０】
第５手段は、第２又は３手段の構成において、前記ローション剤を水溶性のグリセリンで形成したことを特徴とする。
【発明の効果】
【００１１】
第１手段によれば、液透過性のトップシートと液不透過性のバックシートの間に吸収体を設け、吸収体の前後方向の両側に、エンドフラップ部を形成し、背側のエンドフラップ部を形成するトップシートとバックシートの間に、幅方向に伸縮する矩形状の伸縮シートを設け、伸縮シートを、トップシートに対向する内側シートと、バックシートに対向する外側シートと、内側シートと外側シートの間に前後方向に所定の間隔を隔てて幅方向に沿って伸縮する伸縮部材で形成し、伸縮部材を、内側シートの反身体側面と外側シートの身体側面に幅方向に所定の間隔を隔てて形成した接着部を介して固定し、トップシートの身体側面に幅方向に所定の間隔を隔てて、腹側のエンドフラップ部から背側のエンドフラップ部に向かって前後方向に延在するローション部を形成し、平面視において、ローション部における背側のエンドフラップ部に延在する部位を、接着部の幅方向の一側側部と、接着部に隣接する接着部の幅方向の他側側部に重ねて設けたので、装着者の肌を保湿することができ、また、背側のエンドフラップＥＦに形成される襞の延出部を高くして使い捨ておむつと装着者の背側ウエスト部のフィット性を向上させることができる。
【００１２】
第２手段によれば、第１手段による効果に加えて、ローション部に塗布されたローション剤の塗布目付量を２〜２０ｇ／ｍｍ2に形成したので、装着者の肌を効率良く保湿することができる。
【００１３】
第３手段によれば、第１又は２手段による効果に加えて、ローション部における背側のエンドフラップ部に延在する部位のローション剤の塗布目付量を、ローション部における吸収体に延在する部位のローション剤の塗布目付量よりも大きく形成したので、接着部の一側側部と他側側部の接着力を確実に弱めて、背側のエンドフラップＥＦに形成される襞の延出部をより高くして使い捨ておむつと装着者の背側ウエスト部のフィット性をより向上させることができる。
【００１４】
第４手段によれば、第１〜３のいずれか１項の手段による効果に加えて、平面視において、ローション部における背側のエンドフラップ部に延在する部位のローション部の幅方向の長さを、ローション部における吸収体に延在する部位のローション部の幅方向の長さよりも長く形成したので、ローション部と重なる接着部の一側側部と他側側部の面積を広くして、背側のエンドフラップＥＦに形成される襞の延出部をより高くして使い捨ておむつと装着者の背側ウエスト部のフィット性をより向上させることができる。
【００１５】
第５手段によれば、第２又は３手段による効果に加えて、ローション剤を水溶性のグリセリンで形成したので、周囲の空気中の水分を引き寄せて、装着者の肌をより保湿することができる。
【図面の簡単な説明】
【００１６】
【図１】使い捨ておむつの身体側の平面図である。
【図２】使い捨ておむつの反身体側の平面図である。
【図３】図１のＸ１−Ｘ１断面図である。
【図４】伸縮シートの平面図である。
【図５】ローションの塗布形態の説明図である。
【図６】第１実施形態のローションの塗布形態の説明図である。
【図７】図６のＸ２−Ｘ２断面図でありローション剤の塗布目付量の説明図である。
【図８】第２実施形態のローションの塗布形態の説明図である。
【図９】図８のＸ２−Ｘ２断面図でありローション剤の塗布目付量の説明図である。
【図１０】第３実施形態のローションの塗布形態の説明図である。
【図１１】図１０のＸ２−Ｘ２断面図でありローション剤の塗布目付量の説明図である。
【図１２】第４実施形態のローションの塗布形態の説明図である。
【図１３】図１２のＸ２−Ｘ２断面図でありローション剤の塗布目付量の説明図である。
【図１４】ローションを塗布前の伸縮シートの襞の形態の説明図である。
【図１５】ローションを塗布後の伸縮シートの襞の形態の説明図である。
【００１７】
図１〜３に示すように、使い捨ておむつは、身体側に設けられた液透過性のトップシート１０と、反身体側に設けられた液不透過性のバックシート１１と、トップシート１０とバックシート１１の間に設けられた吸収要素２０から形成されている。また、吸収要素２０は、吸収体２１と、吸収体２１を覆う包装シート２２とから形成されている。
【００１８】
バックシート１１の反身体側には、外装シート１２が設けられている。また、トップシート１０と吸収要素２０の間には、トップシート１０を透過した排泄物を吸収要素２０に移動させ、排泄物の逆戻りを防止する中間シート１５を設けるのが好ましい。
【００１９】
吸収要素２０の幅方向の両側には、所定の間隔を隔てて排泄物の外部への漏れを防止する立体ギャザー３０が設けられている。立体ギャザー３０は、実質的に幅方向に連続するギャザーシート３１と、ギャザーシート３１の前後方向に沿って伸長状態で固定された細長状の弾性伸縮部材３２から形成されている。
【００２０】
立体ギャザー３０の基部の外側には、所定の間隔を隔てて排尿の外部への漏れを防止する平面ギャザー４０が形成されている。平面ギャザー４０は、バックシート１１と、ギャザーシート３１と、外装シート１２と、バックシート１１と、ギャザーシート３１の間に前後方向に沿って伸長状態で固定された細長状の弾性伸縮部材４１から形成されている。
【００２１】
吸収要素２０の前後方向の両側には、エンドフラップ部ＥＦがそれぞれ形成され、吸収要素２０の両側には、サイドフラップ部ＳＦが形成されている。
【００２２】
背側のエンドフラップ部ＥＦを形成するトップシート１１と外装シート１２の間には、後述する伸縮シート６０が設けられている。
【００２３】
サイドフラップ部ＳＦにおける背側部の幅方向の両側には、ファスニングテープ５０が設けられている。ファスニングテープ５０は、サイドフラップＳＦに固定される基材５１と、基材５１の身体側に設けられた係止部５２から形成されている。
【００２４】
外装シート１２の反身体側の腹側部には、ファスニングテープ５０の係止部５２が係止される前後方向に所定の間隔を有して幅方向に延在する矩形状のターゲットシート５５が設けられている。
【００２５】
図４に示すように、伸縮シート６０は、トップシート１０に対向する内側シート６１と、外装シート１２に対向する外側シート６２と、内側シート６１と外側シート６２の間に幅方向に沿って伸長状態で固定された細長状の弾性伸縮部材（請求項における「伸縮部材」）６３から形成されている。
【００２６】
弾性伸縮部材６３は、内側シート６１の反身体側面に幅方向に所定の間隔を隔てて形成された矩形状の第１接着部６５Ａと、外側シート６２の身体面側に幅方向に所定の間隔を隔てて形成された第２接着部６５Ｂに固定されている。これにより、図１４に示すように、伸縮シート６０の身体側面と反身体側面に略山形の皺６８を形成して、使い捨ておむつを装着者の背側ウエスト部にフィットさせることができる。第１接着部６５Ａと第２接着部６５Ｂは、ホットメルト接着剤を塗布して形成することができる。本明細書では、第１接着部６５Ａと第２接着部６５Ｂを総称して接着部６５と言い、接着部６５とこれに隣接する接着部６５の間の部位を非接着部６６と言う。
【００２７】
また、内側シート６１と外側シート６２に接着部６５を形成するのに替えて、弾性伸縮部材６３の外周部に幅方向に所定の間隔を隔てて接着部６５を形成して、弾性伸縮部材６３に内側シート６１と外側シート６２を固定することもできる。
【００２８】
図５に示すように、トップシート１０の身体側面における立体ギャザー３０の間の部位には、幅方向に所定の間隔を隔てて前後方向の延在するローション部７０が形成されている。なお、ローション部７０は、腹側のエンドフラップ部ＥＦから背側のエンドフラップ部ＥＦまで形成するのが好ましい。これにより、使い捨ておむつと装着者の接触部、例えば、腹側のエンドフラップ部ＥＦと装着者の腹側ウエスト部、背側のエンドフラップ部ＥＦと装着者の背側ウエスト部を滑らかに接触させることができ、装着者の肌の外傷を抑制することができる。なお、ローション部７０は、ローション剤を塗布、転写して形成することができる。
【００２９】
ローション部７０の面積率、すなわち、トップシート１０の身体側面における立体ギャザー３０の間の部位の面積に対するローション部７０の割合を、２０〜７０％にするのが好ましい。２０％以下の場合は、幅方向に所定の間隔を隔てて前後方向に連続するローション部７０を形成することが困難となり、７０％以上の場合には、装着者の肌を過度に保湿する恐れがある。
【００３０】
ローション剤としては、水溶性のグリセリンを使用することができるが、グリセリンを所定の量の水溶液で薄めて形成したローション剤が好ましい。これにより、周囲の空気中の水分を引き寄せて装着者の肌を保湿することができる。また、グリセリンにヒアルロン酸、コラーゲン、セラミドを加えてローション剤の保湿力を高めることができ、使い捨ておむつの使用時期、使用場所に応じて最適なローション剤を設計して使用することができる。さらに、油性のワセリン等を加えて、肌にバリア機能を付与することもできる。
【００３１】
＜第１実施形態＞
次に、第１実施形態のローション部７０について説明する。
【００３２】
図６に示すように、ローション部７０は、背側のエンドフラップ部ＥＦにおける伸縮シート６０の前後方向に延在する非接着部６６に対向する部位に、前後方向に延在して形成されている。また、ローション部７０の幅方向の左側部は、非接着部６６の左側に形成された接着部６５の右側部に重なり、ローション部７０の幅方向の右側部は、非接着部６６の右側に形成された接着部６５の左側部に重なるように形成されている。
【００３３】
図７に示すように、ローション部７０の塗布量は、トップシート１０の腹側のエンドフラップ部ＥＦから背側のエンドフラップ部ＥＦまで同じ塗布量、例えば、２ｇ／ｍｍ2で塗布されている。
【００３４】
これにより、ローション部７０の幅方向の左側部に重なった接着部６５の右側部と、ローション部７０の幅方向の右側部と重なった接着部６５の左側部の接着力を弱めて、図１５に示すように、伸縮シート６０の身体側面に形成された皺６８を身体側により延出させて、使い捨ておむつを装着者の背側ウエスト部によりフィットさせることができる。
【００３５】
なお、ローション部７０の塗布量は、２〜２０ｇ／ｍｍ2にするのが好ましい。２ｇ／ｍｍ2未満の場合は、装着者の肌を保湿することができず、２０ｇ／ｍｍ2を超える場合には、装着者の肌を過度に保湿する恐れがある。
【００３６】
＜第２実施形態＞
次に、第２実施形態のローション部７０について説明する。第１実施形態のローション部７０と同一部材には同一符号を付して説明を省略する。
【００３７】
図９に示すように、ローション部７０の塗布量は、トップシート１０の腹側のエンドフラップ部ＥＦから吸収要素２０の背側端部までは、例えば、２ｇ／ｍｍ2で塗布され、トップシート１０の背側のエンドフラップ部ＥＦは、例えば、３ｇ／ｍｍ2で塗布されている。なお、図８は、図６と同じであるので説明を省略する。
【００３８】
これにより、ローション部７０の幅方向の左側部に重なった接着部６５の右側部と、ローション部７０の幅方向の右側部と重なった接着部６５の左側部の接着力を確実に弱めて、伸縮シート６０の身体側面に形成された皺６８を均等に身体側に延出させて、使い捨ておむつを装着者の背側ウエスト部に確実にフィットさせることができる。
【００３９】
＜第３実施形態＞
次に、第３実施形態のローション部７０について説明する。第１実施形態のローション部７０と同一部材には同一符号を付して説明を省略する。
【００４０】
図１０に示すように、トップシート１０の背側のエンドフラップ部ＥＦの身体側面に形成されたローション部７０の幅方向の長さが、トップシート１０の腹側のエンドフラップ部ＥＦの身体側面に形成されたローション部７０の幅方向の長さよりも長く形成されている。なお、図１１は、図７と同じであるので説明を省略する。
【００４１】
これにより、ローション部７０の幅方向の左側部に重なる接着部６５の右側部の面積と、ローション部７０の幅方向の右側部と重なる接着部６５の左側部の面積を広くすることができて、伸縮シート６０の身体側面に形成された皺６８を身体側にさらに延出させて、使い捨ておむつを装着者の背側ウエスト部にさらにフィットさせることができる。
【００４２】
なお、内側シート６１と外側シート６２に接着剤６５を介して弾性伸縮部材６３を固定するためには、接着部６５におけるローション７０と重ならない面積を３０〜４０％以上にするのが好ましい。
【００４３】
＜第４実施形態＞
次に、第４実施形態のローション部７０について説明する。第３実施形態のローション部７０と同一部材には同一符号を付して説明を省略する。
【００４４】
図１３に示すように、ローション部７０の塗布量は、トップシート１０の腹側のエンドフラップ部ＥＦから吸収要素２０の背側端部までは、例えば、２ｇ／ｍｍ2で塗布され、トップシート１０の背側のエンドフラップ部ＥＦは、例えば、３ｇ／ｍｍ2で塗布されている。なお、図１２は、図１０と同じであるので説明を省略する。
【００４５】
これにより、ローション部７０の幅方向の左側部に重なった接着部６５の右側部と、ローション部７０の幅方向の右側部と重なった接着部６５の左側部の接着力を確実に弱めて、伸縮シート６０の身体側面に形成された皺６８を均等に身体側に延出させて、使い捨ておむつを装着者の背側ウエスト部に確実にフィットさせることができる。
【００４６】
次に、トップシート１０等の素材および特徴部分について順に説明する。
（トップシート）
トップシート１０は、有孔又は無孔の不織布や、多孔性プラスチックシート等で形成されている。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維等や、これらから二種以上が使用された混合繊維、複合繊維等を例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００４７】
（バックシート）
バックシート１１は、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とでバックシートが構成される。）等で形成されている。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、バックシート１１として用いることができる。
【００４８】
（外装シート）
外装シート１２は、吸収要素２０を支持し、着用者に装着するための部分である。外装シート１２は、両側部の前後方向中央部が括れた砂時計形状とされており、ここが着用者の脚を囲む部位となる。
【００４９】
外装シート１２は、不織布で形成するのが好適である。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互を接着剤等により接着するのが好ましい。不織布を用いる場合、その繊維目付けは１０〜５０ｇ／ｍ2、特に１５〜３０ｇ／ｍ2のものが望ましい。
【００５０】
（中間シート）
中間シート１５は、トップシート１０と同様の素材で形成されている。中間シート１５は、トップシート１０に接合するのが好ましく、その接合にヒートエンボスや超音波溶着を用いる場合は、中間シート１５の素材は、トップシート１０と同程度の融点をもつものが好ましい。中間シート１５に不織布を用いる場合、その不織布の繊維の繊度は２．０〜５．０ｄｔｅｘ程度とするのが好ましい。
【００５１】
（吸収体）
吸収体２１は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００５２】
吸収体２１は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００５３】
吸収体２１の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート２２上にある形態も排除されるものではない。
【００５４】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系等のものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体等のものを用いることができる。高吸収性ポリマー粒子の形状としては、通常用いられる粉粒体状のものが好適であるが、他の形状のものも用いることができる。
【００５５】
高吸収性ポリマー粒子としては、吸水速度が７０秒以下、特に４０秒以下のものが好適に用いられる。吸水速度が遅すぎると、吸収体２１内に供給された液が吸収体２１外に戻り出てしまう所謂逆戻りを発生し易くなる。
【００５６】
高吸収性ポリマー粒子の目付け量は、当該吸収体２１の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００５７】
（包装シート）
包装シート２２は、ティッシュペーパ、特にクレープ紙、不織布、ポリラミ不織布、小孔が開いたシート等で形成されている。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレン等を使用できる。繊維目付けは、５〜４０ｇ／ｍ2、特に１０〜３０ｇ／ｍ2のものが望ましい。
【００５８】
（立体ギャザー）
立体ギャザー３０のギャザーシート３１としては撥水性不織布を用いることができ、また弾性伸縮部材３２としては糸ゴム等を用いることができる。弾性伸縮部材は、複数本設ける他、各１本設けることができる。
【００５９】
ギャザーシート３１の反身体側面は、トップシート１０の側部上に幅方向の固着始端を有し、この固着始端から幅方向外側の部分は、バックシート１１の側部およびその幅方向外側に位置する外装シート１２の側部にホットメルト接着剤等により固着されている。
【００６０】
脚周りにおいては、立体ギャザー３０の固着始端より幅方向内側は、製品前後方向両端部ではトップシート１０上に固定されているものの、その間の部分は非固定の自由部分であり、この自由部分が弾性伸縮部材３２の収縮力により起立するようになる。おむつの、装着時には、おむつが舟形に体に装着されるので、そして弾性伸縮部材３２の収縮力が作用するので、弾性伸縮部材３２の収縮力により立体ギャザー３０が起立して脚周りに密着する。その結果、脚周りからのいわゆる横漏れが防止される。
【００６１】
（平面ギャザー）
ギャザーシート３１とバックシート１１との間に、糸ゴム等からなる脚周り弾性伸縮部材４１が前後方向に沿って伸長された状態で固定されている。脚周り弾性伸縮部材４１は、複数本設ける他、各１本設けることができる。
【００６２】
（ファスニングテープ）
ファスニングテープ５０の基材５１の基部は、ホットメルト接着剤等によってギャザーシート３１と外装シート１２の間に固定されている。また、基材５１は、不織布、プラスチックフィルム、ポリラミ不織布、紙やこれらの複合素材から形成されている。
【００６３】
係止部５２は、メカニカルファスナーのフック材から形成されている。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ５０の係止部として粘着材層を設けることもできる。
【００６４】
（ターゲットシート）
ターゲットシート５５は、ループ糸が表面に多数設けられたプラスチックフィルムや不織布等から形成されている。
【００６５】
（背側伸縮シート）
伸縮シート６０は、背側のエンドフラップ部ＥＦを伸縮させて装着者の背中周りに背側のエンドフラップ部ＥＦを密着させる伸縮シートである。図４に示すように、背側伸縮シート６０は、不織布から形成された内側シート６１と、不織布から形成された外側シート６２と、内側シート６１と外側シート６２の間に設けられた前後方向に所定の間隔を隔てて幅方向に延在する複数の細長状の弾性伸縮部材６３から形成されている。なお、弾性伸縮部材６３は、太さ４７０〜６２０ｄｔｅｘのゴム糸を、伸長率２００〜２５０％に伸ばして設けている。
【００６６】
幅方向における伸縮シート６０の両側部は、左右一対のギャザーシートの両側部の近傍に位置し、幅方向における弾性伸縮部材６３の両側部は、バックシート１１の両側部に位置している。
【００６７】
＜明細書中の用語の説明＞
明細書中で以下の用語が使用される場合、明細書中に特に記載が無い限り、以下の意味を有するものである。
【００６８】
・「前後（縦）方向」とは腹側（前側）と背側（後側）を結ぶ方向を意味し、「幅方向」とは前後方向と直交する方向（左右方向）を意味する。
・「表側」とは装着者の肌に近い方を意味し、「裏側」とは装着者の肌から遠い方を意味する。「表面」とは部材の、装着者の肌に近い方の面を意味し、「裏面」とは装着者の肌から遠い方の面を意味する。
・「ＭＤ方向」及び「ＣＤ方向」とは、製造設備における流れ方向（ＭＤ方向）及びこれと直交する横方向（ＣＤ方向）を意味し、いずれか一方が製品の前後方向となるものであり、他方が製品の幅方向となるものである。不織布のＭＤ方向は、不織布の繊維配向の方向である。繊維配向とは、不織布の繊維が沿う方向であり、例えば、ＴＡＰＰＩ標準法Ｔ４７１の零距離引張強さによる繊維配向性試験法に準じた測定方法や、前後方向及び幅方向の引張強度比から繊維配向方向を決定する簡易的測定方法により判別することができる。
・「展開」とは、収縮や弛み無く平坦に展開した状態を意味する。
・「伸長率」は、自然長を１００％としたときの値を意味する。例えば、伸長率が２００％とは、伸長倍率が２倍であることと同義である。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
・「目付け量」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載が無い限り、自然長状態ではなく展開状態における寸法を意味する。
【産業上の利用可能性】
【００６９】
本発明は、使い捨ておむつ等の吸収性物品に利用可能なものである。
【符号の説明】
【００７０】
１０      トップシート
１１      バックシート
２１      吸収体
６０      伸縮シート
６１      内側シート
６２      外側シート
６３      弾性伸縮部材（伸縮部材）  
６５      接着部
６６      非接着部
７０      ローション部
ＥＦ      エンドフラップ部
【図１】
0006934500.tif 000002
【図２】
0006934500.tif 000003
【図３】
0006934500.tif 000004
【図４】
0006934500.tif 000005
【図５】
0006934500.tif 000006
【図６】
0006934500.tif 000007
【図７】
0006934500.tif 000008
【図８】
0006934500.tif 000009
【図９】
0006934500.tif 000010
【図１０】
0006934500.tif 000011
【図１１】
0006934500.tif 000012
【図１２】
0006934500.tif 000013
【図１３】
0006934500.tif 000014
【図１４】
0006934500.tif 000015
【図１５】
0006934500.tif 000016